(57)【要約】      （修正有）【課題】容易かつ確実に接続部材を固定することができる一組の雄ねじ体および雌ねじ体を提供する。【解決手段】一組の雄ねじ体および雌ねじ体Ａは、雄ねじ体１と、この雄ねじ体１に螺合する雌ねじ体２と、この雌ねじ体２のねじ孔の軸方向の中途に設けられ、ねじ孔の軸方向に直交する方向であって、該ねじ孔を横断するように貫設された一対の挿通孔と、を備えている。一対の挿通孔は、第１の挿通孔２２と第２の挿通孔２３であり、第１の挿通孔２２と前記第２の挿通孔２３とは、ねじピッチの半ピッチ分、ねじ孔の軸方向にずらして形成されている。【選択図】図１
2011033180.tif 000002
【特許請求の範囲】
【請求項１】
雄ねじ体と、
この雄ねじ体に螺合する雌ねじ体と、
この雌ねじ体のねじ孔の軸方向の中途に設けられ、前記ねじ孔の軸方向に直交する方向であって、該ねじ孔を横断するように貫設された一対の挿通孔と、を備えていることを特徴とする一組の雄ねじ体および雌ねじ体。
【請求項２】
一対の挿通孔は、第１の挿通孔と第２の挿通孔であり、前記第１の挿通孔と前記第２の挿通孔とは、ねじピッチの半ピッチ分、ねじ孔の軸方向にずらして形成されていることを特徴とする請求項１記載の一組の雄ねじ体および雌ねじ体。
【請求項３】
雄ねじ体と、
この雄ねじ体に螺合する雌ねじ体と、
この雌ねじ体のねじ孔の軸方向の中途に設けられ、前記ねじ孔の軸方向に直交する方向であって、該ねじ孔を横断するように貫設された一対の挿通孔と、を備えている一組の雄ねじ体および雌ねじ体を用い、
前記一対の挿通孔に接続部材を挿通させた後、該接続部材を前記一組の雄ねじ体および雌ねじ体に螺止させることを特徴とする一組の雄ねじ体および雌ねじ体を用いた接続部材の固定方法。
【請求項４】
雄ねじ体と、
この雄ねじ体に螺合する雌ねじ体と、
この雌ねじ体のねじ孔の軸方向の中途に設けられ、前記ねじ孔の軸方向に直交する方向であって、該ねじ孔に臨むように穿設された挿入孔と、を備えていることを特徴とする一組の雄ねじ体および雌ねじ体。
【請求項５】
雄ねじ体と、
この雄ねじ体に螺合する雌ねじ体と、
この雌ねじ体のねじ孔の軸方向の中途に設けられ、前記ねじ孔の軸方向に直交する方向であって、該ねじ孔に臨むように穿設された挿入孔と、を備えている一組の雄ねじ体および雌ねじ体を用い、
前記挿入孔に接続部材の一端部を挿入させた後、該接続部材を前記一組の雄ねじ体および雌ねじ体に螺止させることを特徴とする一組の雄ねじ体および雌ねじ体を用いた接続部材の固定方法。
【発明の詳細な説明】
【技術分野】
【０００１】
本発明は、テープやロープ、ロッド、パイプなどの接続部材を固定する一組の雄ねじ体および雌ねじ体、並びに、それらを用いた接続部材の固定方法に係り、特に、雌ねじ体のねじ孔の軸方向の中途に設けられ、ねじ孔の軸方向に直交する方向であって、該ねじ孔を横断するように貫設された一対の挿通孔を備えているものに関する。
【背景技術】
【０００２】
田畑などに野獣が侵入して作物を食い荒らすのを防止するために、周囲にネットを張設したり、マンホールなどの作業現場で部外者の侵入を規制するために、周囲にロープ等を張設したりする場合、例えば、間隔をあけて立設したポールにロープを架け渡して止着し、該ロープにネットを張り巡らすなどしている。
【０００３】
かかる場合、ポールにロープなどを固定するものとして、例えば、特許文献１の図１や図５に示されたように、ポールの上端部にロープ止め具を取り付け、このロープ止め具にロープを止着して固定を行っている。
【先行技術文献】
【特許文献】
【０００４】
【特許文献１】特開２００６−１４４２８４号公報
【発明の概要】
【発明が解決しようとする課題】
【０００５】
しかしながら、上述したようなロープ止め具を用いたものにあっては、ロープの入口部から出口部に亘る開口凹部において、該ロープを複雑に折り曲げて止着するものであり、手間がかかると共に熟練を要し、しかも、ポール間のロープの長さを調節する際には、一度ロープ止め具からロープを取り外して再度巻き直す必要があり、使い勝手に難があるものであった。
【０００６】
本発明は、上述した問題点を解決するためになされたものである。
【課題を解決するための手段】
【０００７】
請求項１に係る発明は、雄ねじ体と、この雄ねじ体に螺合する雌ねじ体と、この雌ねじ体のねじ孔の軸方向の中途に設けられ、前記ねじ孔の軸方向に直交する方向であって、該ねじ孔を横断するように貫設された一対の挿通孔と、を備えている一組の雄ねじ体および雌ねじ体である。
【０００８】
請求項２に係る発明は、請求項１記載の一組の雄ねじ体および雌ねじ体において、一対の挿通孔は、第１の挿通孔と第２の挿通孔であり、前記第１の挿通孔と前記第２の挿通孔とは、ねじピッチの半ピッチ分、ねじ孔の軸方向にずらして形成されているものである。
【０００９】
請求項３に係る発明は、雄ねじ体と、この雄ねじ体に螺合する雌ねじ体と、この雌ねじ体のねじ孔の軸方向の中途に設けられ、前記ねじ孔の軸方向に直交する方向であって、該ねじ孔を横断するように貫設された一対の挿通孔と、を備えている一組の雄ねじ体および雌ねじ体を用い、前記一対の挿通孔に接続部材を挿通させた後、該接続部材を前記一組の雄ねじ体および雌ねじ体に螺止させる一組の雄ねじ体および雌ねじ体を用いた接続部材の固定方法である。
【００１０】
請求項４に係る発明は、雄ねじ体と、この雄ねじ体に螺合する雌ねじ体と、この雌ねじ体のねじ孔の軸方向の中途に設けられ、前記ねじ孔の軸方向に直交する方向であって、該ねじ孔に臨むように穿設された挿入孔と、を備えている一組の雄ねじ体および雌ねじ体である。
【００１１】
請求項５に係る発明は、雄ねじ体と、この雄ねじ体に螺合する雌ねじ体と、この雌ねじ体のねじ孔の軸方向の中途に設けられ、前記ねじ孔の軸方向に直交する方向であって、該ねじ孔に臨むように穿設された挿入孔と、を備えている一組の雄ねじ体および雌ねじ体を用い、前記挿入孔に接続部材の一端部を挿入させた後、該接続部材を前記一組の雄ねじ体および雌ねじ体に螺止させる一組の雄ねじ体および雌ねじ体を用いた接続部材の固定方法である。
【発明の効果】
【００１２】
請求項１に記載の一組の雄ねじ体および雌ねじ体によれば、雌ねじ体のねじ孔の軸方向の中途に設けられ、前記ねじ孔の軸方向に直交する方向であって、該ねじ孔を横断するように貫設された一対の挿通孔と、を備えているため、例えばテープやロープなどの接続部材を、一対の挿通孔に挿入して雄ねじ体および雌ねじ体を螺合させれば、容易かつ確実に接続部材を一組の雄ねじ体および雌ねじ体に固定することができる。
【００１３】
請求項２に記載の発明によれば、請求項１記載の一組の雄ねじ体および雌ねじ体の効果に加え、一対の挿通孔は、第１の挿通孔と第２の挿通孔であり、前記第１の挿通孔と前記第２の挿通孔とは、ねじピッチの半ピッチ分、ねじ孔の軸方向にずらして形成されているため、第１の挿通孔側における雄ねじ体と雌ねじ体との隙間、および、第２の挿通孔側における雄ねじ体と雌ねじ体との隙間に、等しく接続部材を挟み込ませることができ、より一層強固に接続部材を一組の雄ねじ体および雌ねじ体に固定することができる。
【００１４】
請求項３に記載の一組の雄ねじ体および雌ねじ体を用いた接続部材の固定方法によれば、雌ねじ体のねじ孔の軸方向の中途に設けられ、前記ねじ孔の軸方向に直交する方向であって、該ねじ孔を横断するように貫設された一対の挿通孔と、を備えている一組の雄ねじ体および雌ねじ体を用い、前記一対の挿通孔に接続部材を挿通させた後、該接続部材を前記一組の雄ねじ体および雌ねじ体に螺止させるため、簡易な操作で接続部材を一組の雄ねじ体および雌ねじ体に固定することができ、しかも、接続部材の挿通孔への挿通により、該接続部材が螺合の途中で外れるのを防止することができ、一組の雄ねじ体および雌ねじ体と接続部材とを迅速かつ確実に固定することができる。
【００１５】
請求項４に記載の一組の雄ねじ体および雌ねじ体によれば、雌ねじ体のねじ孔の軸方向の中途に設けられ、前記ねじ孔の軸方向に直交する方向であって、該ねじ孔に臨むように穿設された挿入孔と、を備えているため、例えばテープやロープなどの接続部材を、挿入孔に挿入して雄ねじ体および雌ねじ体を螺合させれば、容易かつ確実に接続部材を一組の雄ねじ体および雌ねじ体に固定することができる。
【００１６】
請求項５に記載の一組の雄ねじ体および雌ねじ体を用いた接続部材の固定方法によれば、雌ねじ体のねじ孔の軸方向の中途に設けられ、前記ねじ孔の軸方向に直交する方向であって、該ねじ孔に臨むように穿設された挿入孔と、を備えている一組の雄ねじ体および雌ねじ体を用い、前記挿入孔に接続部材の一端部を挿入させた後、該接続部材を前記一組の雄ねじ体および雌ねじ体に螺止させるため、簡易な操作で接続部材を一組の雄ねじ体および雌ねじ体に固定することができ、しかも、接続部材の挿入孔への挿入により、該接続部材が螺合の途中で外れるのを防止することができ、一組の雄ねじ体および雌ねじ体と接続部材とを迅速かつ確実に固定することができる。
【図面の簡単な説明】
【００１７】
【図１】本発明の第１の実施例に係る一組の雄ねじ体および雌ねじ体を示した概略的側面図である。
【図２】図１の雌ねじ体を示した概略図であり、図２（ａ）は側面図を、図２（ｂ）は図２（ａ）のＸ１−Ｘ１線で切断した断面図をそれぞれ示している。
【図３】図１の雄ねじ体の変形例を示した概略的側面図である。
【図４】図１の一対の挿通孔の形態のバリエーションを示した概略的側面図であり、図４（ａ）は開口部が円形の図を、図４（ｂ）は開口部が矩形の図をそれぞれ示している。
【図５】図１の一対の挿通孔において、第１の挿通孔と第２の挿通孔との位置をずらした形態の概略図であり、図５（ａ）は雌ねじ体の側面図を、図５（ｂ）は図５（ａ）の一部を切断し、雄ねじ体を螺合させたときの図をそれぞれ示している。
【図６】図１の使用状態を示した概略図であり、図６（ａ）は接続部材を挿通前の図を、図６（ｂ）は接続部材を挿通して螺止したときの図を、図６（ｃ）は図６（ｂ）のＸ２−Ｘ２線で切断した図をそれぞれ示している。
【図７】図６（ｂ）、（ｃ）の概略的斜視図である。
【図８】図１の使用状態の一例を示した概略的斜視図である。
【図９】図１の使用状態の他の例を示した概略的斜視図である。
【図１０】本発明の第２の実施例に係る一組の雄ねじ体および雌ねじ体を示した概略図であり、図１０（ａ）は側面図を、図１０（ｂ）は図１０（ａ）のＸ３−Ｘ３線で切断した断面図をそれぞれ示している。
【図１１】図１０の変形例を示した概略図であり、図１１（ａ）は側面図を、図１１（ｂ）は図１１（ａ）のＸ４−Ｘ４線で切断した断面図をそれぞれ示している。
【発明を実施するための形態】
【００１８】
本発明の第１の実施例を、図１〜図５を参照して説明する。図１において、Ａは、一組の雄ねじ体および雌ねじ体であり、一組の雄ねじ体および雌ねじ体Ａは、例えば、ポールｐの上端部に取り付けられ、ポールｐ、ｐ間を架け渡したテープやロープなどの接続部材ｃを止着して固定するもので、概略的に、雄ねじ体１と、雌ねじ体２と、一対の挿通孔２２、２３とにより構成されている。
【００１９】
雄ねじ体１は、例えば、六角ボルトや六角穴付ボルト（キャップボルト）などであるが、工具を使わずに素手で容易に螺合できる点で、図３に示したような蝶ボルト（雄ねじ体１）を用いてもよい。
【００２０】
雌ねじ体２は、雄ねじ体１に螺合するものであり、例えば、六角ナットである。
【００２１】
一対の挿通孔２２、２３は、図２（ａ）、（ｂ）に示したように、雌ねじ体２のねじ孔２１の軸方向の中途に設けられ、ねじ孔２１の軸方向に直交する方向であって、ねじ孔２１を横断するように貫設されているもので、例えば、六角ナットの対向する両側面から、ねじ孔２１の軸に向かって切り込みを設けて形成することができるが、接続部材ｃがねじ孔２１を横断することができればよく、一対の挿通孔２２、２３は、必ずしも対向せず、挿通孔２２に対して挿通孔２３を傾けた方向に形成するようにしてもよい。
【００２２】
この一対の挿通孔２２、２３は、テープやロープなどの接続部材ｃを挿通するために設けられているもので、各挿通孔２２、２３における開口寸法は、該挿通孔２２、２３に挿通される接続部材ｃ（図１の仮想線を参照）の寸法に応じて適宜調整することができ、例えば、図４（ａ）に示したような接続部材ｃがロープである場合にあっては、該ロープ外径に見合った寸法の円形の開口部に形成したり、図４（ｂ）に示したような接続部材ｃがテープである場合にあっては、該テープの幅と厚さに見合った寸法の矩形の開口部に形成することができる。
【００２３】
また、雌ねじ体２には、図１の仮想線で示したように、ポールｐを取り付けることもでき、雌ねじ体２とポールｐとを別体として設けて溶接等により接合したり、雌ねじ体２とポールｐとを一体として、すなわち、ポールｐの先端部に加工を施して雌ねじ体２を形成したりするようにしてもよい。さらに、ここでは、ポールｐに雌ねじ体２を設けた例を示したが、その他の構造体に本雌ねじ体２を一体または別体として設けるようにしても構わない。
【００２４】
ところで、前述の一対の挿通孔２２、２３は、第１の挿通孔２２と第２の挿通孔２３であり、第１の挿通孔２２と第２の挿通孔２３とは、図５（ａ）、（ｂ）に示したように、ねじピッチａの半ピッチ（＝１／２×ａ）分、すなわち、ねじ螺旋の半周に相当するピッチ分、ねじ孔の軸方向にずらして形成するのが好ましい（｜Ｌ−Ｌ’｜＝１／２×ａ）。これは、第１の挿通孔２２と第２の挿通孔２３との位置をずらすことで、第１の挿通孔２２側における雄ねじ体１と雌ねじ体２との隙間、および、第２の挿通孔２３側における雄ねじ体１と雌ねじ体２との隙間に、等しく接続部材ｃを挟み込ませることができるからであり、この均等な挟み込みにより一層強固に接続部材ｃを固定することができる。
【００２５】
次に、上述した実施例ように構成される一組の雄ねじ体および雌ねじ体Ａを用いた接続部材ｃの固定方法について、図６〜図９を参照して説明する。この固定方法にあっては、雌ねじ体２が、あらかじめポールｐに溶接された状態にあって、接続部材ｃをテープとしたものを例示したもので、まず、図６（ａ）に示したように、一対の挿通孔２２、２３にテープｃ１（接続部材ｃ）を挿通させた後、該テープｃ１を雄ねじ体１および雌ねじ体２に螺止させて固定する（図７参照）。
【００２６】
このとき、図６（ｂ）、（ｃ）に示したように、挿通孔２２、２３の内端部２２’、２３’において、雄ねじ体１と雌ねじ体２とによりテープｃ１を挟み込ませるもので、テープｃ１は、第１の挿通孔２２側における雄ねじ体１と雌ねじ体２との隙間、および、第２の挿通孔２３側における雄ねじ体１と雌ねじ体２との隙間に挟み込まれて止着される。
【００２７】
なお、上述した雌ねじ体２を複数設け、図８に示したように、接続部材ｃにより環状に囲い、例えば、作業現場に部外者が侵入しないように包囲したり、図９に示したように、接続部材ｃにネット部材ｎを張設し、例えば、防獣ネットとして野獣が田畑に侵入しないようにしたりすることができる。
【００２８】
次に、本発明の第２の実施例を、図１０、図１１を参照して説明する。なお、第１の実施例と同一部分には同一の符号を付して示し、その詳細な説明は省略する。図１０、図１１において、Ａは、本実施例に係る一組の雄ねじ体および雌ねじ体であり、この一組の雄ねじ体および雌ねじ体Ａは、第１の実施例とは雌ねじ体２に設けられた孔の構成が異なるもので、第１の実施例の一対の挿通孔２２、２３に代えて、挿入孔２４が形成されている。
【００２９】
挿入孔２４は、雌ねじ体２のねじ孔２１の軸方向の中途に設けられ、ねじ孔２１の軸方向に直交する方向であって、該ねじ孔２１に臨むように穿設されている。この挿入孔２４は、図１０（ａ）、（ｂ）に示したように、ねじ孔２１の軸に直交する方向において、雌ねじ体２の挿入孔２４が穿設されている側と反対の側の部位を残して切り込みが形成されているものや、図１１（ａ）、（ｂ）に示したように、ねじ孔２１の軸に直交する方向において、ねじ孔２１の直径と略同一寸法か、または、それ以下の幅寸法の切り込みが形成（挿入孔２４の断面形状は、接続部材ｃの断面形状に見合ったものであれば何れであってもよい）されているものを例示することができる。
【００３０】
なお、第２の実施例に係る一組の雄ねじ体および雌ねじ体Ａを用いた接続部材ｃの固定方法にあっては、基本的に、第１の実施例のものと同様であり、挿入孔２４に接続部材ｃ（例えば、図１０、図１１に図示したようなテープｃ１やロープｃ２）の一端部を挿入させた後、該接続部材ｃを雄ねじ体１および雌ねじ体２に螺止させて固定するもので、接続部材ｃは、挿入孔２４側における雄ねじ体１と雌ねじ体２との隙間に挟み込まれて止着される。
【００３１】
ところで、上述した第１および第２の実施例にあっては、接続部材ｃとして、テープｃ１やロープｃ２を例にとって説明したが、これらに限らず、例えば、剛性若しくは可撓性を有するロッドやパイプ、糸、線材、板材などであってもよい。
【符号の説明】
【００３２】
Ａ        一組の雄ねじ体および雌ねじ体
ｐ        ポール
ｃ        接続部材
１        雄ねじ体
２        雌ねじ体
２２      第１の挿通孔
２３      第２の挿通孔
２４      挿入孔
【図１】
2011033180.tif 000003
【図２】
2011033180.tif 000004
【図３】
2011033180.tif 000005
【図４】
2011033180.tif 000006
【図５】
2011033180.tif 000007
【図６】
2011033180.tif 000008
【図７】
2011033180.tif 000009
【図８】
2011033180.tif 000010
【図９】
2011033180.tif 000011
【図１０】
2011033180.tif 000012
【図１１】
2011033180.tif 000013